(57)【要約】【課題】ＬＥＤの短絡異常を安価に且つ確度高く検出する。【解決手段】直列に接続された複数の発光素子を点灯して原稿に光を照射する発光回路と、並列に接続された複数の発光回路を駆動する駆動回路と、原稿の読取が可能な位置に配置された白色基準板と、全発光回路を駆動させて白色基準板に光を照射させる指示を駆動回路に送出し白色基準板から反射される光が予め定められた光量よりも小さい光量である場合に発光素子の短絡異常が発生したと判断する異常検出部とを備え、各発光素子は、発光回路毎に原稿の主走査方向に互い違いに配列され、異常検出部は、短絡異常の発生を判断した場合に発光回路を順次一つずつ駆動させて白色基準板から反射される光が予め定められた光量よりも小さい光量である原稿の主走査方向の位置を特定し、当該特定した位置に配列された発光素子に短絡異常が発生したと判断する画像読取装置。【選択図】図３
2012015711.tif 000002
【特許請求の範囲】
【請求項１】
直列に接続された複数の発光素子を点灯して、原稿に対して光を照射する発光回路と、
並列に接続された複数の前記発光回路を駆動する駆動回路と、
前記原稿の読取が可能な位置に配置された白色基準板と、
全ての前記発光回路を駆動させて前記白色基準板に光を照射させる指示を前記駆動回路に送出し、前記白色基準板から反射される光が予め定められた光量よりも小さい光量である場合に、前記発光素子の短絡異常が発生したと判断する異常検出部と、
を備え、
前記各発光回路の前記各発光素子は、前記発光回路毎に前記原稿の主走査方向に互い違いに配列され、
前記異常検出部は、前記短絡異常の発生を判断した場合に、更に、前記発光回路を順次一つずつ駆動させて前記白色基準板に光を照射させる指示を前記駆動回路に送出して、前記白色基準板から反射される光が予め定められた光量よりも小さい光量である前記原稿の主走査方向の位置を特定し、当該特定した位置に配列された前記発光素子に前記短絡異常が発生したと判断する画像読取装置。
【請求項２】
請求項１に記載の前記画像読取装置と、
前記画像読取装置の読取動作により得られた画像信号に基づき、記録媒体に画像を形成する画像形成部と、
を備える画像形成装置。
【発明の詳細な説明】
【技術分野】
【０００１】
本発明は、複数の発光素子を用いて画像を読み取る画像読取装置及び画像形成装置に関するものである。
【背景技術】
【０００２】
近年の白色ＬＥＤ（Light Emitting Diode）の光量増加に伴い、集光型センサ（ＣＣＤやＣＭＯＳイメージセンサ）を用いた複写機やスキャナのための光源としても、白色ＬＥＤが採用され始めている。一般的に集光型センサは多くの光量を必要とするため、読取方向に白色ＬＥＤを複数並べて点灯させることによって、必要な光量が作り出されている。
【０００３】
このような複数の白色ＬＥＤを光源とする複写機やスキャナ等の画像形成装置には、光源における異常の発生を検出する異常検出回路が設けられている。例えば、下記特許文献１には、ＬＥＤ光源から標準白色部材に光を照射して、標準白色部材の反射光を読みとって得られた信号レベルと予め定められた基準レベルとを比較して、当該信号レベルが基準レベルに達しないことにより、ＬＥＤ光源の劣化を検出する技術が記載されている。
【０００４】
さらに、下記特許文献２には、一度に駆動可能な複数のＬＥＤを単位（ブロック）として、当該ブロック毎にＬＥＤを点灯させた場合の、当該ブロックに対応する標準白色板の領域からの反射光の読取値と予め定められた基準値とを比較して、ブロック毎に異常を検出する技術が記載されている。
【０００５】
尚、白色ＬＥＤによる光源の異常は、白色ＬＥＤの駆動回路に断線が生じたことにより、白色ＬＥＤに駆動電圧が供給されなくなって点灯しなくなる断線異常と、静電気等に起因して白色ＬＥＤ自体が短絡して点灯しなくなる短絡異常と、に分類することができる。
【先行技術文献】
【特許文献】
【０００６】
【特許文献１】特開平１１−３４１２３６号公報
【特許文献２】特開２００７−１５０９３４号公報
【発明の概要】
【発明が解決しようとする課題】
【０００７】
しかしながら、上記特許文献１及び特許文献２では、ＬＥＤに断線異常が発生した場合、直列に接続された複数のＬＥＤが同時に消灯するため、当該断線異常を検出することは可能であるが、短絡異常が発生した場合、当該短絡異常が発生したＬＥＤが単独で消灯するが、隣接して配列されたＬＥＤが正常に点灯されることによって、十分に標準白色部材（標準白色板）からの反射光の読取値が低くならず、当該短絡異常を検出できない虞があった。
【０００８】
また、短絡異常が発生した場合に、当該短絡異常が発生したＬＥＤに直列に接続されたＬＥＤを駆動するために必要となる駆動電圧が予め定められた基準電圧値よりも高くなることを以て、短絡異常を検出する方法も知られている。しかしながら、当該方法を実現するには、駆動電圧を監視する専用回路を設けるのにコストが生じ、また、直列に接続されるＬＥＤ個々における電圧降下特性のばらつきを踏まえて基準電圧値を調節する、或いは、当該ばらつきを抑えるべくＬＥＤを選別して配列する等の手間が生じるという問題があった。
【０００９】
本発明は、上述した問題点を解決するためになされたものであり、ＬＥＤの短絡異常を、安価に、且つ、確度高く検出することができる画像読取装置を提供することを目的とする。また、このような画像読取装置を備えた画像形成装置を提供することを目的とする。
【課題を解決するための手段】
【００１０】
請求項１に記載の発明は、直列に接続された複数の発光素子を点灯して、原稿に対して光を照射する発光回路と、
並列に接続された複数の前記発光回路を駆動する駆動回路と、
前記原稿の読取が可能な位置に配置された白色基準板と、
全ての前記発光回路を駆動させて前記白色基準板に光を照射させる指示を前記駆動回路に送出し、前記白色基準板から反射される光が予め定められた光量よりも小さい光量である場合に、前記発光素子の短絡異常が発生したと判断する異常検出部と、
を備え、
前記各発光回路の前記各発光素子は、前記発光回路毎に前記原稿の主走査方向に互い違いに配列され、
前記異常検出部は、前記短絡異常の発生を判断した場合に、更に、前記発光回路を順次一つずつ駆動させて前記白色基準板に光を照射させる指示を前記駆動回路に送出して、前記白色基準板から反射される光が予め定められた光量よりも小さい光量である前記原稿の主走査方向の位置を特定し、当該特定した位置に配列された前記発光素子に前記短絡異常が発生したと判断する画像読取装置である。
【００１１】
また、請求項２に記載の発明は、請求項１に記載の前記画像読取装置と、
前記画像読取装置の読取動作により得られた画像信号に基づき、記録媒体に画像を形成する画像形成部と、
を備える画像形成装置である。
【００１２】
これらの発明では、異常検出部により、全ての発光回路を駆動させて白色基準板から反射される光が予め定められた光量よりも小さい光量である場合に、発光素子の短絡異常が発生したことが判断される。更に、異常検出部により、当該短絡異常の発生が判断されると、発光回路が順次一つずつ駆動される。
【００１３】
このとき、各発光回路の各発光素子は、発光回路毎に原稿の主走査方向に互い違いに配列されているため、短絡異常が発生した発光素子を備える発生回路が駆動されている場合には、その他の発生回路は駆動されていないため、当該短絡異常が発生した発光素子に隣接して配列されている発光素子は消灯されている。
【００１４】
したがって、当該短絡異常が発生した発光素子が配列されている原稿の主走査方向の位置において白色基準板から反射される光が予め定められた光量よりも小さい光量となる確度が高まるようになる。
【００１５】
このため、従来のように発光素子の駆動電圧を監視する専用回路を設けるコストをかける必要なく、また、ＬＥＤ個々の電圧降下のばらつきを踏まえて、上記の予め定められた光量を調整する等の手間をかける必要なく、白色基準板から反射される光が上記の予め定められた光量よりも小さい光量である、原稿の主走査方向の位置を容易に特定することができる。つまり、安価に、且つ、確度高く当該特定した位置に配列された発光素子の短絡異常を検出することができるようになる。
【発明の効果】
【００１６】
本発明によれば、ＬＥＤの短絡異常を、安価に、且つ、確度高く検出することができる画像読取装置を提供することが可能になる。また、このような画像読取装置を備えた画像形成装置を提供することが可能になる。
【図面の簡単な説明】
【００１７】
【図１】本発明に係る画像形成装置の一例としての複合機を示す概略断面図。
【図２】本発明に係る画像読取装置の一例を示す概略断面図。
【図３】本発明に係る発光回路及び駆動回路の一例を示す説明図。
【図４】本発明に係る画像読取装置の画像読取動作を制御する画像読取回路の一例を示すブロック図。
【図５】異常検出部における異常検出処理の一例を示す説明図。
【図６】異常検出部により短絡異常が発生した発光素子を特定する動作の一例を示す説明図。
【発明を実施するための形態】
【００１８】
以下、本発明に係る画像形成装置の一例である複合機を図面に基づいて説明する。図１に示すように、複合機１は、コピー、プリンタ、スキャナ及びファクシミリ等の複数の機能を兼ね備えたものであり、本体部２と、本体部２の左方に配設されたスタックトレイ３と、ユーザが種々の操作指令等を入力するための操作部３６と、本体部２の上部に配設された画像読取部４と、画像読取部４の上方に配設された原稿給紙部５とを有している。
【００１９】
本体部２は、複数の給紙カセット２３と、給紙カセット２３から記録紙を１枚ずつ繰り出して画像形成部２５へ搬送する給紙ローラ２４と、給紙カセット２３から搬送されてきた記録紙に画像を形成する画像形成部２５とを備える。
【００２０】
画像形成部２５は、後述する画像読取部４で取得された画像信号に基づきレーザ光等を出力して感光体ドラム２６を露光する光学ユニット２７と、感光体ドラム２６上にトナー像を形成する現像部２８と、感光体ドラム２６上のトナー像を記録紙に転写する転写部２９と、トナー像が転写された記録紙を加熱してトナー像を記録紙に定着させる一対のローラ３０及び３１からなる定着装置３２と、画像形成部２５内の用紙搬送路中に設けられ、記録紙をスタックトレイ３又は排出トレイ３３まで搬送する搬送ローラ対３４及び３５等とを備える。
【００２１】
尚、記録紙の両面に画像を形成する場合は、画像形成部２５で記録紙の一方の面に画像を形成した後、この記録紙を排出トレイ３３側の搬送ローラ対３０及び３１にニップされた状態とする。この状態で搬送ローラ対３０及び３１を反転させて記録紙をスイッチバックさせ、記録紙を用紙搬送路３２に送って画像形成部２５の上流域に再度搬送し、画像形成部２５により他方の面に画像を形成した後、記録紙をスタックトレイ３又は排出トレイ３３に排出する。
【００２２】
操作部３６には、ユーザが印刷実行指示を入力するためのスタートキー３６１と、印刷部数等を入力するためのテンキー３６２と、各種複写動作の操作ガイド情報等を表示し、これら各種設定入力用にタッチパネル機能を有する液晶ディスプレイ等からなる表示部３６３と、表示部３６３で設定された設定内容等をリセットするリセットキー３６４と、実行中の印刷（画像形成）動作を停止させるためのストップキー３６５と、コピー機能、プリンタ機能、スキャナ機能及びファクシミリ機能を切り換えるための機能切換キー３６６が備えられている。
【００２３】
原稿給紙部５は、ＡＤＦ（Auto Document Feeder：自動給紙装置）を実現するものであり、図２に示すように、原稿トレイ５１、給紙ローラ５２、搬送ドラム５３、排紙ローラ５４及び排紙トレイ５５を有する。原稿トレイ５１は原稿が載置される場所であり、原稿トレイ５１に載置された原稿は１枚ずつ給紙ローラ５２によって取り込まれて搬送ドラム５３へ搬送される。搬送ドラム５３を経由した原稿は排紙ローラ５４によって排紙トレイ５５へ排出される。
【００２４】
画像読取部４は、原稿の画像を光学的に取得して画像信号を出力するものであり、図２に示すように、フラットベッド用コンタクトガラス４１１、光源４２、第１ミラー４３１、第２ミラー４３２、第３ミラー４３３、第１キャリッジ４６、第２キャリッジ４７、結像レンズ４８、ＣＣＤ（Charge Coupled Device）４９を有する。尚、ＣＣＤ以外にＣＭＯＳ（Complementary Metal Oxide Semiconductor）イメージセンサを用いたものであってもよい。
【００２５】
コンタクトガラス４１１は原稿を載置する場所である。光源４２及び第１ミラー４３１は第１キャリッジ４６によって支持され、第２ミラー４３２及び第３ミラー４３３は第２キャリッジ４７によって支持されている。
【００２６】
ここで、画像読取部４及び原稿給紙部５を用いた原稿の画像読取方法として、コンタクトガラス４１１上に載置された原稿を画像読取部４が読み取るフラットベッド読取モードと、原稿をＡＤＦによって取り込み、その搬送途中で原稿を読み取るＡＤＦ読取モードがある。
【００２７】
フラットベッド読取モードでは、光源４２がコンタクトガラス４１１上に載置された原稿を照射し、主走査方向１ライン分の反射光が第１ミラー４３１、第２ミラー４３２、第３ミラー４３３の順に反射して、結像レンズ４８に入射する。結像レンズ４８に入射した光はＣＣＤ４９の受光面で結像される。ＣＣＤ４９は一次元のイメージセンサであり、１ライン分の原稿の画像を同時に処理して、画像信号を出力する。
【００２８】
１ライン分の読み取りが終了すると、原稿の主走査方向（紙面に対して垂直方向）と直交する方向（副走査方向、矢印Ｙ方向）に第１キャリッジ４６及び第２キャリッジ４７が移動され、次のラインの読み取りが行われる。
【００２９】
ＡＤＦ読取モードでは、給紙トレイ５１に載置された原稿が給紙ローラ５２によって１枚ずつ取り込まれ、その原稿が搬送ドラム５３から排紙トレイ５５への搬送経路に設けられた読取窓４１０とガイド板５９の隙間部を通過するとき、光源４２が読取窓４１０を介して原稿に光を照射する。
【００３０】
主走査１ライン分の反射光が第１ミラー４３１、第２ミラー４３２、第３ミラー４３３の順に反射して、結像レンズ４８に入射し、結像レンズ４８に入射した光はＣＣＤ４９の受光面で結像される。続いて原稿は原稿給紙部５によって搬送され、次のラインが読み取られる。
【００３１】
このように画像読取部４においては、原稿からの反射光を光学系によってＣＣＤ４９に導いて画像信号を得ているが、ＣＣＤ４９の特性の個体差や光源４２の照度ムラを補正するために、シェーディング補正が行われる。
【００３２】
このシェーディング補正は、原稿読取前に、光源４２が白色基準板４１２を照射し、その反射光をＣＣＤ４９により受光して得られる白基準データと、ＣＣＤ４９を遮光した状態で得られる黒基準データとを用いて画像信号の濃度ムラの補正を行う処理である。
【００３３】
また、拡散板４４及び反射板４５は、光源４２の主走査方向（紙面に対して垂直方向）の配光分布特性によるリップル（配光の乱れ）を軽減するために配置される。
【００３４】
光源４２は、図３に示すように、本発明に係る発光素子の一例としての白色ＬＥＤを４つ直列に接続してなる発光回路６〜８を備えている。尚、各発光回路に備えられた白色ＬＥＤの数（本例では４）、及び、発光回路の数（本例では３）は、あくまで例示にすぎず、これに限定する趣旨ではない。
【００３５】
発光回路６は、白色ＬＥＤ６１〜６４が直列に接続されてなり、本発明に係る駆動回路の一例としての定電流駆動回路９０のＡ端子と電源の間に接続されている。発光回路７は、白色ＬＥＤ７１〜７４が直列に接続されてなり、定電流駆動回路９０のＢ端子と電源の間に接続されている。発光回路８は、白色ＬＥＤ８１〜８４が直列接続されてなり、定電流駆動回路９０のＣ端子と電源の間に接続されている。このように、３個の発光回路６〜８が、並列に定電流駆動回路９０と接続されている。
【００３６】
発光回路６〜８の各白色ＬＥＤは、発光回路毎に原稿の主走査方向（矢印Ｘ方向）に互い違いに配列される。例えば、図３に示すように、紙面左側から原稿の主走査方向に沿って、発光回路６の白色ＬＥＤ６１、発光回路７の白色ＬＥＤ７１、発光回路８の白色ＬＥＤ８１、発光回路６の白色ＬＥＤ６２、発光回路７の白色ＬＥＤ７２、発光回路８の白色ＬＥＤ８２・・・の順番で配置される。
【００３７】
定電流駆動回路９０は、後述する光源制御部９４が出力する電流調整信号を取り込み、電流調整信号が示す指示内容に従って発光回路６〜８に一定の電流を供給及び遮断し、発光回路６〜８を駆動及び停止させる。これにより、発光回路６〜８に備えられた白色ＬＥＤは点灯及び消灯される。
【００３８】
次に、複合機１における画像読取動作を制御する画像読取回路について説明する。図４に示すように、画像読取回路９は、ＣＰＵ９１と、ＲＡＭ９２と、ＲＯＭ９３と、光源制御回路９４と、駆動機構制御部９５と、操作部３６と、Ａ／Ｄ変換部９７と、本発明に係る異常検出部の一例としてのシェーディング・異常検出部９８と、画像処理部９９とを備え、各部は、バスＢＵＳによって互いに通信可能に接続されている。
【００３９】
ＣＰＵ９１は、複合機１の全体的な動作制御を司る制御機構からなり、画像読取部４及び原稿給紙部５による、原稿の画像読取動作及びシェーディング補正用の白基準データ及び黒基準データを取得する動作の制御も担当する。尚、ＣＰＵ９１は、ＲＯＭ９３又は図略のハードディスク（ＨＤＤ）に記憶されている動作制御用プログラムに従って、複合機１の動作制御を行う。
【００４０】
ＲＡＭ９２は、ＣＰＵ９１による上記動作制御用プログラムに従った動作制御時の作業領域として用いられる記憶機構である。
【００４１】
ＲＯＭ９３は、上記動作制御用プログラムや、後述する光源４２の異常検出処理に用いられる基準値Ｔｈ等を記憶する。
【００４２】
光源制御部９４は、駆動対象の発光回路６〜８に一定の電流を供給するように指示する制御信号（電流調整信号）を上記の定電流駆動回路９０に出力することにより、光源４２の点灯及び消灯動作を制御する。
【００４３】
駆動制御部９５は、原稿給紙部５の給紙ローラ５２や排紙ローラ５４、及び画像読取部４の第１キャリッジ４６や第２キャリッジ４７等の、駆動機構の動作を制御する。
【００４４】
操作部３６は、上記の通り、ユーザからコピー動作開始指示等の各種操作指令の入力を受け付けるものである。
【００４５】
Ａ／Ｄ変換部９７は、画像読取部４のＣＣＤ４９から出力されるアナログの画像信号をデジタルの画像信号に変換して、シェーディング・異常検出部９８に出力する。
【００４６】
シェーディング・異常検出部９８は、画像読取部４、原稿給紙部５及びＣＰＵ９１によって取得された白基準データ及び黒基準データを用いて、Ａ／Ｄ変換部９７から出力された原稿の画像信号に対してシェーディング補正を行う。
【００４７】
また、シェーディング・異常検出部９８は、全ての発光回路６〜８を駆動させる指示を光源制御部９４を介して定電流駆動回路９０に送出し、白色基準板４１２に照射されて反射した光が予め定められた光量よりも小さい光量である場合に、発光回路６〜８に備えられた何れかの白色ＬＥＤに短絡異常が発生したと判断する異常検出処理を行う。尚、異常検出処理の詳細については後述する。
【００４８】
シェーディング・異常検出部９８は、上記の異常検出処理により、何れの白色ＬＥＤにも異常が発生していないと判断した場合、シェーディング補正済みの原稿の画像信号を画像処理部９９に送出する。
【００４９】
画像処理部９９は、シェーディング・異常検出部９８から送出された画像信号に対して、例えば、レベル補正、ガンマ補正等の補正処理、圧縮又は伸長処理、拡大又は縮小処理などの各種画像処理を行う。
【００５０】
つまり、画像読取部４、原稿給紙部５、操作部３６及び画像読取回路９を備えて、本発明に係る画像読取装置の一例が構成されている。
【００５１】
以下では、シェーディング・異常検出部９８による異常検出処理の一例として、図５（ｃ）に示すように、発光回路６の白色ＬＥＤ６３に短絡異常が発生している場合における異常検出処理について詳述する。
【００５２】
シェーディング・異常検出部９８は、例えば、シェーディング補正を行う直前のタイミングで異常検出処理を開始し、全ての発光回路６〜８を駆動させる指示を光源制御部９４を介して定電流駆動回路９０に送出する。尚、シェーディング・異常検出部９８が異常検出処理を開始するタイミングは、これに限定する趣旨ではなく、例えば、操作部３６を介してユーザから指示されるタイミングであってもよい。
【００５３】
当該指示に応じて定電流駆動回路９０が全ての発光回路６〜８を駆動させると、図５（ｂ）の実線部に示すように、白色ＬＥＤ６３以外の全ての白色ＬＥＤが点灯され、当該点灯された各白色ＬＥＤの位置をピークとして主走査方向にある程度の幅を持って上に凸の光量を示す光が、白色基準板４１２に照射される。
【００５４】
しかし、白色ＬＥＤ６３は、短絡異常が発生しているために消灯したままの状態であり、図５（ｂ）の点線部に示すように、白色ＬＥＤ６３の位置をピークとして主走査方向にある程度の幅を持って上に凸の光量を示す光は、白色基準板４１２に照射されていない。
【００５５】
白色基準板４１２から反射される光の光量は、何れの白色ＬＥＤにも短絡異常が発生していない場合は、図５（ａ）の実線部に示すように、白色基準板４１２の主走査方向における全ての白色ＬＥＤ６１〜６４，７１〜７４，８１〜８４に対応する位置において、予め定められた基準値Ｔｈ以上となる。
【００５６】
しかし、白色ＬＥＤ６３に短絡異常が発生している場合は、白色基準板４１２から反射される光の光量は、図５（ａ）の点線部に示すように、白色基準板４１２の主走査方向における白色ＬＥＤ６３に対応する位置のみならず、当該白色ＬＥＤ６３に隣接して配列される白色ＬＥＤ８２，７３に対応する位置においても、予め定められた基準値Ｔｈより小さくなる。
【００５７】
ここに、シェーディング・異常検出部９８は、画像読取部４による白色基準板４１２の読み取り動作で取得された白基準データの示す光量が、予め定められた基準値Ｔｈよりも小さくなる主走査方向の位置を特定して、当該位置に対応する白色ＬＥＤ８２，６３，７３の何れかに短絡異常が発生していると判断する。
【００５８】
シェーディング・異常検出部９８は、このように何れかの白色ＬＥＤで短絡異常が発生していると判断すると、更に、発光回路６〜８を順次一つずつ駆動させて白色基準板４１２に光を照射させる指示を、光源制御部９４を介して定電流駆動回路９０に送出する。
【００５９】
当該指示に応じて定電流駆動回路９０が発光回路６を駆動させると、図６（ｃ）に示すように、短絡異常が発生していない白色ＬＥＤ６１，６２，６４が点灯され、駆動されていない発光回路７，８に備えられた白色ＬＥＤ７１〜７４，８１〜８４と短絡異常が発生している白色ＬＥＤ６３とが消灯された状態となる。
【００６０】
このとき、図６（ｂ）の実線部に示すように、当該点灯された各白色ＬＥＤ６１，６２，６４のそれぞれの位置をピークとして、主走査方向にある程度の幅を持って上に凸の光量を示す各光が白色基準板４１２に照射される。
【００６１】
しかし、図６（ｂ）の点線部に示すように、白色ＬＥＤ６３の位置をピークとして、連続する５つの白色ＬＥＤ７２，８２，６３，７３，８３が配列されている主走査方向の幅を持って上に凸の光量を示す光が、白色基準板４１２に照射されていない。
【００６２】
つまり、図６（ａ）の点線部で示すように、白色基準板４１２の主走査方向における当該連続して配列された白色ＬＥＤ８２，６３，７３に対応する位置において反射される光の光量は、図５（ａ）の点線部に示した場合に比して、白色ＬＥＤ８２，７３が消灯されることによって更に小さくなり、特に、短絡異常が発生している白色ＬＥＤ６３に対応する原稿の主走査方向における位置では、顕著に基準値Ｔｈよりも小さくなる。
【００６３】
ここに、シェーディング・異常検出部９８は、白色基準板４１２で反射される光の光量が顕著に基準値Ｔｈよりも小さくなる白色基準板４１２の主走査方向における位置を特定し、当該位置に対応する白色ＬＥＤ６３に短絡異常が発生していると判断する。
【００６４】
したがって、本構成によれば、従来のように白色ＬＥＤの駆動電圧を監視する専用回路を設けるコストをかける必要なく、また、白色ＬＥＤ個々の電圧降下のばらつきを踏まえて、予め定められた光量を調整する等の手間をかける必要なく、白色基準板４１２から反射される光が予め定められた基準値Ｔｈよりも小さい光量である主走査方向の位置を容易に特定することができる。つまり、安価に、且つ、確度高く当該特定した位置に配列された白色ＬＥＤの短絡異常を検出することができる。
【００６５】
尚、上記実施形態においては、画像形成装置の一例として複合機を例に説明したが、これに限らず、本発明に係る画像読取装置を備えた、プリンタ、コピー機、スキャナ、或いはＦＡＸ等の画像形成装置であってもよい。
【００６６】
尚、上記実施形態において図１乃至図６に示した構成及び設定は単なる一例に過ぎず、本発明を当該実施形態に限定する趣旨ではない。
【符号の説明】
【００６７】
１  複合機（画像形成装置）
４  画像読取部（画像読取装置）
５  原稿給紙部（画像読取装置）
６，７，８  発光回路
９  画像読取回路（画像読取装置）
２５  画像形成部
３６  操作部（画像読取装置）
４２  光源
６１〜６４，７１〜７４，８１〜８４  白色ＬＥＤ（発光素子）
９０  定電流駆動回路（駆動回路）
９８  シェーディング・異常検出部（異常検出部）
４１２  白色基準板
Ｔｈ  基準値（予め定められた光量）
【図１】
2012015711.tif 000003
【図２】
2012015711.tif 000004
【図３】
2012015711.tif 000005
【図４】
2012015711.tif 000006
【図５】
2012015711.tif 000007
【図６】
2012015711.tif 000008